(57)【要約】【課題】パッシブ方式の画像表示装置において、２次元画像を視聴する際の、パターン位相差フィルムにおける領域の設定に対応するスジを低減する。【解決手段】透明基材１２と、透過光に位相差を付与する位相差層１とが積層されたパターン位相差フィルム２において、前記位相差層１は、透過光に与える位相差が異なる第１及び第２の領域Ａ及びＢが順次交互に設けられ、パターン位相差フィルム２は、位相差層１に隣接する隣接部材１４の屈折率が、位相差層１の遅相軸方向の屈折率と進相軸方向の屈折率との間の屈折率に保持された。【選択図】図４
2014178460.tif 000002
【特許請求の範囲】
【請求項１】
透明基材と、透過光に位相差を付与する位相差層とが積層されたパターン位相差フィルムにおいて、
前記位相差層は、
透過光に与える位相差が異なる第１及び第２の領域が順次交互に設けられ、
前記パターン位相差フィルムは、
前記位相差層に隣接する隣接部材の屈折率が、位相差層の遅相軸方向の屈折率と進相軸方向の屈折率との間の屈折率に保持された
パターン位相差フィルム。
【請求項２】
前記隣接部材が、粘着剤である
請求項１に記載のパターン位相差フィルム。
【請求項３】
前記隣接部材が、等方状態で硬化した重合性液晶である
請求項１に記載のパターン位相差フィルム。
【請求項４】
前記隣接部材が、Ｃプレートである
請求項１に記載のパターン位相差フィルム。
【請求項５】
前記隣接部材が、前記位相差層の液晶の配向を規制する配向層である
請求項１に記載のパターン位相差フィルム。
【請求項６】
請求項１、請求項２、請求項３、請求項４、請求項５の何れかに記載のパターン位相差フィルムが画像表示パネルのパネル面に配置された
画像表示装置。
【発明の詳細な説明】
【技術分野】
【０００１】
本発明は、パッシブ方式による３次元画像表示に関するものである。
【背景技術】
【０００２】
近年、パッシブ方式により３次元画像を表示する画像表示装置が提供されている。ここで図６は、液晶表示パネルを使用したパッシブ方式の画像表示装置を示す概略図である。パッシブ方式の画像表示装置は、垂直方向又は水平方向（この図６の例では、垂直方向）に連続する液晶表示パネルの画素を、順次交互に、右目用及び左目用に割り当て、それぞれ右目用及び左目用の画像データで駆動し、これにより右目用の画像と左目用の画像とを同時に表示する。また液晶表示パネルのパネル面（視聴者側面）にパターン位相差フィルムを配置し、右目用の画素及び左目用の画素からの直線偏光による出射光を、右目用及び左目用で方向の異なる円偏光に変換する。これによりパッシブ方式では、対応する偏光フィルタを備えてなる眼鏡を装着して、右目用の画像と左目用の画像とをそれぞれ選択的に視聴者の右目及び左目に提供し、３次元画像を表示する。
【０００３】
このためパターン位相差フィルムは、液晶表示パネルにおける画素の設定に対応して、遅相軸方向（屈折率が最大となる方向）が直交する２種類の帯状領域が順次交互に形成される。これによりパッシブ方式では、対応する偏光フィルタを備えてなる眼鏡を装着して、右目用の画像と左目用の画像とをそれぞれ選択的に視聴者の右目及び左目に提供する。なおここでこの隣接する帯状領域の遅相軸方向は、通常、水平方向に対して、＋４５度と−４５度、又は０度と＋９０度の組み合わせが採用される。なおこの図６の例では、通常の画像表示装置における呼称に習って画面の長辺方向を水平方向として示す。
【０００４】
このパッシブ方式は、応答速度の遅い画像表示装置でも適用することができ、さらにパターン位相差フィルムと円偏光メガネとを用いた簡易な構成で３次元表示することができる。なおパッシブ方式の画像表示装置では、図６の例による垂直方向に代えて、水平方向に連続する画素を順次交互に右目用及び左目用に振り分ける方法も採用される。
【０００５】
このパッシブ方式に係るパターン位相差フィルムは、画素の割り当てに対応して透過光に位相差を与えるパターン状の位相差層が必要である。このパターン位相差フィルムに関して、特許文献１には、配向規制力を制御した光配向層をガラス基板上に形成し、この光配向層により液晶の配列をパターンニングして位相差層を作製する方法が開示されている。また特許文献２には、レーザーの照射によりロール版の周側面に微細な凹凸形状を形成し、この凹凸形状を転写してパターン状に配向規制力を制御した光配向層を作製する方法が開示されている。
【０００６】
ところでパッシブ方式により３次元画像を表示する画像表示装置において、２次元画像を視聴する場合、表示画面にスジが見て取られる場合がある。なおこのスジに係る２次元画像の視聴は、２次元画像表示用の画像データにより画像表示パネルを駆動して２次元画像を表示し、この表示を３次元画像表示用の円偏光メガネを着用しないで視聴する場合である。このスジは、パターン位相差フィルムにおいて、右目用の画素からの出射光に対応する位相差を付与する領域（以下、右目用領域と呼ぶ）と、左目用の画素からの出射光に対応する位相差を付与する領域（以下、左目用領域と呼ぶ）とで、画面が異なる色味や異なる明るさで観察されて発生するものである。このような色味、明暗に係るスジにあっては、極力、低減することが望まれる。
【０００７】
なおパッシブ方式の画像表示装置では、この色味、明暗に係るスジを含めて、種々のスジの発生が広く知られている。具体的に、３次元画像表示の際に、右目用及び左目用にそれぞれ偶数ライン及び奇数ラインが割り当てられることにより、原理的に、右目用領域及び左目用領域に係るスジが見えることになる。しかしながら上述の色味、明暗に係るスジは、２次元画像を視聴する場合に発生することにより、このパッシブ方式の画像表示装置における原理的なスジとは異なるものである。
【先行技術文献】
【特許文献】
【０００８】
【特許文献１】特開２００５−４９８６５号公報
【特許文献２】特開２０１０−１５２２９６号公報
【発明の概要】
【発明が解決しようとする課題】
【０００９】
本発明はこのような状況に鑑みてなされたものであり、パッシブ方式の画像表示装置において、２次元画像を視聴する際の、パターン位相差フィルムにおける領域の設定に対応するスジを低減することができるパターン位相差フィルム、画像表示装置を提供することを目的とする。
【課題を解決するための手段】
【００１０】
本発明者は、上記課題を解決するために鋭意研究を重ね、位相差層の進相軸方向の屈折率と遅相軸方向の屈折率との相違による反射率の差異を緩和するとの着想に至り、本発明を完成するに至った。
【００１１】
（１）  透明基材と、透過光に位相差を付与する位相差層とが積層されたパターン位相差フィルムにおいて、
前記位相差層は、
透過光に与える位相差が異なる第１及び第２の領域が順次交互に設けられ、
前記パターン位相差フィルムは、
前記位相差層に隣接する隣接部材の屈折率が、位相差層の遅相軸方向の屈折率と進相軸方向の屈折率との間の屈折率に保持される。
【００１２】
（１）によれば、隣接部材との界面で生じる反射率を、遅相軸方向の偏光面に係る透過光と進相軸方向の偏光面に係る透過光とで、差異を小さくすることができ、これにより反射光によるパターン位相差フィルムにおける領域の設定に対応する濃淡スジを低減することができる。
【００１３】
（２）  （１）において、
前記隣接部材が、粘着剤である。
【００１４】
（２）によれば、パターン位相差フィルムの構成を有効に利用して、パターン位相差フィルムにおける領域の設定に対応する濃淡スジを低減することができる。
【００１５】
（３）  （１）において、
前記隣接部材が、等方状態で硬化した重合性液晶である。
【００１６】
（３）によれば、位相差層を作製する材料を利用して隣接部材を設けるようにして、パターン位相差フィルムにおける領域の設定に対応する濃淡スジを低減することができる。
【００１７】
（４）  （１）において、
前記隣接部材が、Ｃプレートである。
【００１８】
（４）によれば、Ｃプレートにより濃淡スジを低減するようにして、併せて視野角特性等を向上することができる。
【００１９】
（５）  （１）において、
前記隣接部材が、前記位相差層の液晶の配向を規制する配向層である。
【００２０】
（５）によれば、パターン位相差フィルムの構成を有効に利用して、パターン位相差フィルムにおける領域の設定に対応する濃淡スジを低減することができる。
【００２１】
（６）  （１）、（２）、（３）、（４）、（５）の何れかに記載のパターン位相差フィルムが画像表示パネルのパネル面に配置された画像表示装置。
【００２２】
（６）によれば、パターン位相差フィルムにおける領域の設定に対応するスジを低減してなる画像表示装置を提供することができる。
【発明の効果】
【００２３】
パッシブ方式の画像表示装置において、２次元画像を視聴する際の、パターン位相差フィルムにおける領域の設定に対応するスジを低減することができる。
【図面の簡単な説明】
【００２４】
【図１】パッシブ方式による画像表示装置におけるスジの確認結果を示す図である。
【図２】濃淡スジの説明に供する図である。
【図３】濃淡スジの低減方法の説明に供する図である。
【図４】本発明の第１実施形態に係る画像表示装置を示す図である。
【図５】本発明の第３実施形態に係る画像表示装置を  示す図である。
【図６】パッシブ方式による３次元画像表示の説明に供する図である。
【発明を実施するための形態】
【００２５】
以下、本発明の実施形態について図面を参照しながら説明する。
【００２６】
〔スジの防止原理〕
図１は、パッシブ方式による画像表示装置において、２次元画像を表示し、その表示を画面正面によりカメラにより撮影し、また目視により観察し、パターン位相差フィルムにおける領域の設定に対応する色味、明暗に係るスジを確認した結果である。ここでＦＰＲは、パターン位相差フィルムにおける右目用領域及び左目用領域における遅相軸方向を示し、右目用領域及び左目用領域の延長方向を基準にした角度である。また偏光板は、このパターン位相差フィルムの設定に対応してパターン位相差フィルムの入射面側の画像表示パネルに設けられる直線偏光板について、その透過軸方向を示すものである。
【００２７】
この確認結果において、偏光板の透過軸方向を０度又は９０度に設定した場合に、カメラにより撮影した結果（静止画像）では、スジを検出できないにも係わらず、目視による観察では、黄色のスジが視認された。しかしながら黄色のスジにあっては、目視による場合にのみ検出されることにより人間の目に依存するものであると判断される。これに対して偏光板の透過軸方向を４５度に設定した場合、カメラによっても、目視によっても、濃淡のスジが確認された。これによりこの濃淡スジは、カメラ及び目視の双方で確認されることにより、明らかにパターン位相差フィルムからの光量の変化によるものである。
【００２８】
この光量の変化について検討したところ、位相差層における進相軸方向の屈折率と遅相軸方向の屈折率との相違による反射率の差異によるものであることが判った。
【００２９】
すなわち図２は、この反射率の相違の説明に供する図である。この図２において、太陽光等の外光が直線偏光板３Ａを介してパターン位相差フィルム２に入射するものとする。この図２において、直線偏光板３Ａの透過軸方向を矢印により示し、直線偏光板３Ａは、透過軸方向がパターン位相差フィルム２に形成される帯状領域Ａ、Ｂの延長方向に対して斜め４５度の方向であるものとする。またこの図２では、位相差層１における液晶分子を楕円により示し、その配向方向を長軸の向きにより示す。位相差層１においては、領域Ａ及びＢにおいて、遅相軸方向が直交するように設けられる。
【００３０】
なおこの図２は、偏光した外光がパターン位相差フィルム２に入射した場合に生じる現象を説明するためのものである。このため理解し易いように、パターン位相差フィルム２の入射面に直線偏光板３Ａを配置するものである。ここで一般的に、直線偏光板を介してパターン位相差フィルム２に光が入射することは、極めて稀であると言える。しかしながら界面に斜め入射した透過光、反射光は、界面においてｓ波とｐ波の透過率が異なることから偏光する。これにより画像表示装置のパネル面に外光が斜め入射する場合、この外来光の透過光は偏光することになる。また太陽光も偏光している。従って、図２の例は、これら外光の偏光が極端な場合の例となる。
【００３１】
このような配置では矢印ａにより示すように、一方の領域Ｂの進相軸方向に偏光した直線偏光がパターン位相差フィルム２に入射することになるものの、他方の領域Ａにおいては、この外来光の偏光方向が遅相軸方向となる。位相差層１を構成する液晶は、遅相軸方向と進相軸方向とで屈折率が異なり、遅相軸方向の屈折率ｎｓ、進相軸方向の屈折率ｎｆはｎｓ＞ｎｆである。ここで遅相軸方向の屈折率ｎｓ、進相軸方向の屈折率ｎｆを１．６、１．５とし、空気（屈折率１）との界面での反射を考える。
【００３２】
屈折率ｎ１の媒質から屈折率ｎ２の媒質に光が入射したとき、その界面での反射率Ｒは、Ｒ＝（ｎ１−ｎ２）２／（ｎ１＋ｎ２）２……（１）により表される。この関係式に、ｎｓ＝１．６、ｎｆ＝１．５をそれぞれ適用して計算すると、反射率Ｒは、それぞれ５．３％、４．０％となる。これによりこのような直線偏光による外来光が入射する場合には、領域Ａ及びＢで反射率が異なるようになり、これにより領域Ａ及びＢで反射光の光量が相違することなる。
【００３３】
なお図２では、パターン位相差フィルムにおける領域の延長方向に対して、斜め４５°方向に偏光した直線偏光による外光が入射する場合を示したが、これとは逆方向に斜め−４５°方向に偏光していても、同様に反射率に差が生じる。その一方で、図２で、パターン位相差フィルムにおける各領域の延長方向に外光が偏光している場合、またはこれと直交する方向に偏光している場合、領域Ａ及びＢで反射率に差が生じなくなる。またこれら以外の場合、上述した±４５°方向に偏光している場合程では無いものの、スジが見えることになる。従って図２の例は、外光が完全に偏光しており、最もスジが見えやすい極端な場合の例となる。
【００３４】
ここで外来光にあっては、このような直線偏光により入射する場合は極めて稀であるものの、種々の部位で反射等して到来することにより、偏光して画像表示装置に入射し、これによりこのような直線偏光による領域Ａ及びＢ間の反射光量の相違は、外来光一般に言えることになり、これにより濃淡のスジが見て取られるようになる。なお位相差層１を透過した外来光は、その直下の直線偏光板等で反射されて位相差層１に再入射し、この再入射する外来光も反射率の影響を受けることになる。
【００３５】
このため図２との対比により図３に示すように、位相差層１の両面、又は一方の面に、位相差層１に密接して、領域Ａ及びＢにおける反射の相違を緩和する屈折率制御層４を設ける。ここで屈折率制御層４は、面内方向では光学異方性を備えておらず、屈折率が、位相差層１の遅相軸方向の屈折率ｎｓ及び進相軸方向の屈折率ｎｆの間の屈折率である。
【００３６】
ここで図２について上述したと同様に、空気との界面について考察する。位相差層１の遅相軸方向の屈折率ｎｓ及び進相軸方向の屈折率ｎｆを１．６、１．５とし、屈折率制御層４の屈折率をこれらの中間の屈折率１．５５であるとする。
【００３７】
この場合、外来光は、空気と屈折率制御層４との界面で反射することになり、この場合、ｎ１及びｎ２を１．０、１．５５として（１）式を適用することにより、反射率は４．７％となる。この場合、この反射率４．７％による外来光の反射は、領域Ａ及びＢに共通に発生することになる。この外来光は、屈折率制御層４を透過して領域Ａ及びＢにそれぞれ入射することになり、領域Ａの進相軸方向又は遅相軸方向に偏光している場合に、もっとも領域Ａ及びＢでの反射が異なることになる。しかしながらこの場合、（１）式に、ｎ１＝１．５５、ｎ２＝１．６を代入して計算すると反射率は、０．０２５％となり、同様にｎ１＝１．５５、ｎ２＝１．５を代入して計算すると反射率は、０．０２７％となる。これにより屈折率制御層４を設けない場合における領域Ａ及びＢ間の反射率の差１．３％（５．３％−４．０％）が、０．００２％（０．０２７％−０．０２５％）に緩和されることになり、その結果、濃淡スジを目視できないようにすることができる。
【００３８】
より具体的に、右目用領域（第１の領域）Ａにおける遅相軸方向の屈折率ｎｓ１と進相軸方向の屈折率ｎｆ１（ｎｓ１＞ｎｆ１）、左目用領域（第２の領域）Ｂにおける遅相軸方向の屈折率ｎｓ２と進相軸方向の屈折率ｎｆ２（ｎｓ２＞ｎｆ２）に対して、屈折率制御層４の屈折率ｎｏは、ｎｓ１＞ｎｏ＞ｎｆ２であり、かつｎｓ２＞ｎｏ＞ｎｆ１であるように設定して、濃淡スジを低減することができる。
【００３９】
また領域Ａ及びＢに同一の材料を適用し、領域Ａ及びＢで遅相軸方向が直交するように設定する場合には、ｎｓ１＝ｎｓ２、ｎｆ１＝ｎｆ２であることにより、ｎｓ１（＝ｎｓ２＞ｎｏ＞ｎｆ１（＝ｎｆ２）により濃淡スジを低減することができる。
【００４０】
また屈折率制御層４の屈折率ｎｏは、ｎｏ＝（ｎｓ＋ｎｆ）／２であることが望ましく、最も効率良く濃淡スジを低減することができる。
【００４１】
なお屈折率制御層には、光学異方性を有する材料を適用することも可能である。しかしながらこの場合には、面内屈折率が上述の関係を満たすことが必要になる。ここで面内屈折率とは、正面から見たときの屈折率である。面内屈折率に異方性がある場合には、進相軸方向、遅相軸方向の屈折率が、上述の関係を満たすことが必要である。
【００４２】
〔第１実施形態〕
図５は、本発明の第１実施形態に係る画像表示装置を示す図である。この第１実施形態に係る画像表示装置１０は、２次元画像表示モードと３次元画像表示モードとを備え、３次元画像表示モードでは、パッシブ方式により３次元画像を提供する。すなわちこの３次元画像表示モードにおいて、画像表示装置１０は、液晶表示パネルである画像表示パネル１１の垂直方向（図１においては左右方向が対応する方向である）に連続する画素が、順次交互に、右目用の画像を表示する右目用画素、左目用の画像を表示する左目用画素に振り分けられて、それぞれ右目用及び左目用の画像データで駆動される。これにより画像表示装置１０は、右目用の画像を表示する帯状の領域Ａと、左目用の画像を表示する帯状の領域Ｂとに表示画面が交互に区分され、右目用の画像と左目用の画像とを同時に表示する。この画像表示装置１０は、この画像表示パネル１１のパネル面にパターン位相差フィルム２が配置され、このパターン位相差フィルム２により右目用及び左目用の画素からの出射光にそれぞれ対応する位相差を与える。これによりこの画像表示装置は、パッシブ方式により所望の立体画像を表示する。
【００４３】
これに対して２次元画像表示モードでは、連続する画像データにより画像表示パネルを駆動して２次元画像を表示する。
【００４４】
ここでパターン位相差フィルム２は、ＴＡＣ（トリアセチルセルロース）等の透明フィルムからなる透明基材１２の一方の面上（画像表示パネル１１側面）に、配向層１３、位相差層１、粘着剤層１４が順次作製される。パターン位相差フィルム２は、位相差層１が液晶材料により形成され、この液晶材料の配向を配向層１３の配向規制力によりパターンニングする。このパターンニングにより、パターン位相差フィルム２は、液晶表示パネルにおける画素の割り当てに対応して、一定の幅により、右目用の領域Ａと、左目用の領域Ｂとが順次交互に帯状に形成され、右目用及び左目用の画素からの出射光にそれぞれ対応する位相差を与える。
【００４５】
パターン位相差フィルム２は、光配向材料により光配向材料層が基材１２上に作製された後、この光配向材料層に直線偏光による紫外線を照射し、これにより光配向の手法を適用して配向層１３が形成される。ここでこの光配向材料層に照射する紫外線は、その偏光の方向が右目用の領域Ａと左目用の領域Ｂとで異なるように設定され（図３参照）、これにより位相差層１に設けられる液晶材料に関して、右目用の領域Ａ及び左目用の領域Ｂとで対応する向きに液晶分子を配向させ、透過光に対応する位相差を与える。なお光配向材料は、光配向の手法を適用可能な各種の材料を適用することができるものの、この実施形態では、一旦配向した後には、紫外線の照射によって配向が変化しない、例えば光２量化型の材料を使用する。なおこの光２量化型の材料については、「M.Schadt,  K.Schmitt,  V.  Kozinkov  and  V.  Chigrinov  :  Jpn.  J.  Appl.Phys.,  31,  2155  (1992)」、「M.  Schadt,  H.  Seiberle  and  A.  Schuster  :  Nature,  381,  212  (1996)」等に開示されており、例えば「ROP-103」（Rolic  technologies  Ltd.社製）の商品名により既に市販されている。
【００４６】
なおこのように右目用領域又は左目用領域を選択的に露光処理した後、全面を露光処理して配向層を作製する代わりに、これとは逆に全面の露光処理の後、右目用領域又は左目用領域を選択的に露光処理して配向層を作製してもよく、また右目用領域又は左目用領域を選択的に露光処理した後、未露光の左目用領域又は右目用領域を選択的に露光処理して配向層を作製してもよい。またさらに光配向の手法により配向層を作製する代わりに、賦型処理によりラビング処理の痕跡による微細な凹凸形状を作製して配向層を作製するようにしてもよい。
【００４７】
パターン位相差フィルム２は、続いて位相差層１に係る液晶材料の塗工液が塗布された後、紫外線の照射により位相差層１が作製される。続いてパターン位相差フィルム２は、粘着剤層１４が作製された後、図示しないセパレータフィルムが設けられる。パターン位相差フィルム２は、このセパレータフィルムを剥ぎ取って粘着剤層１４を露出させた後、この粘着剤層１４により画像表示パネル１１のパネル面に貼り付けられて保持される。
【００４８】
この実施形態において、位相差層１に隣接する部材である粘着剤層１４には、アクリル系の粘着剤が適用されて、添加剤を加えて屈折率を調整して、位相差層１の遅相軸方向の屈折率と進相軸方向の屈折率との間の屈折率に保持され、これにより粘着剤層１４を屈折率制御層４として機能させて、位相差層１と粘着剤層１４との界面で発生する領域Ａ及びＢの間の反射率の相違を低減する。なおこの隣接部材に適用する材料は、アクリル系に限定されるわけではなく、エポキシ系など種々の材料を適用することができる。またアクリル系粘着剤用樹脂は、屈折率が１．４６〜１．４７であることから、必要に応じて、屈折率を増大させる材料を添加して屈折率を調整してもよい。なお屈折率を調整する方法としては、特開２０１２−２４６４５５、特開２００９−１２０７２６、特開２００８−２０８２８１等に開示の手法を広く適用することができる。
【００４９】
この実施形態では、位相差層１に接する粘着剤層１４の屈折率を位相差層１の遅相軸方向の屈折率と進相軸方向の屈折率との間の屈折率に設定し、この粘着剤層１４を屈折率制御層４として機能させることにより、パターン位相差フィルムの構成を有効に利用して、パターン位相差フィルムにおける領域の設定に対応するスジを低減することができる。
【００５０】
〔第２実施形態〕
この実施形態では、図４の構成において、さらに位相差層１の隣接部材である配向層１３の材料の選定により、配向層１３の屈折率が、位相差層１の遅相軸方向の屈折率と進相軸方向の屈折率との間の屈折率に保持される。この配向層１３に係る構成が異なる点を除いて、第１実施形態と同一に構成される。
【００５１】
これによりこの実施形態では、配向層１３についても屈折率制御層として機能させ、配向層１３と位相差層１との界面で発生する領域Ａ及びＢの間の反射率の相違を低減する。
【００５２】
この実施形態では、位相差層１に接する配向層１３の屈折率を位相差層１の遅相軸方向の屈折率と進相軸方向の屈折率との間の屈折率に設定し、この配向層１３についても屈折率制御層として機能させることにより、パターン位相差フィルムの構成を有効に利用して、パターン位相差フィルムにおける領域の設定に対応するスジを一段と低減することができる。
【００５３】
〔第３実施形態〕
図５は、図４との対比により本発明の第３実施形態の画像表示装置２０を示す図である。画像表示装置２０は、パターン位相差フィルム２に代えて、パターン位相差フィルム２２が設けられる点を除いて、第１実施形態又は第２実施形態と同一に構成される。パターン位相差フィルム２２は、粘着剤層２４と位相差層１との間に、屈折率制御層４が位相差層１の隣接部材として別途設けられる点を除いて、第１実施形態又は第２実施形態と同一に構成される。
【００５４】
ここで屈折率制御層４は、等方状態で硬化した重合性液晶により構成され、屈折率が、位相差層１の遅相軸方向の屈折率と進相軸方向の屈折率との間の屈折率に保持される。具体的にこの実施形態では、位相差層１に適用した塗工液を塗布して乾燥させた後、等方相になる温度以上に加熱した状態で、紫外線の照射により硬化させて作製される。なおパターン位相差フィルム２２は、その後、粘着剤層２４が設けられる。
【００５５】
この実施形態では、別途、屈折率制御層を設けるようにしても、第１又は第２実施形態と同様の効果を得ることができる。また粘着剤層２４に適用する材料選択の幅を拡大して、パターン位相差フィルムの機能に適した粘着剤層を適用することができる。
【００５６】
またこの屈折率制御層を位相差層の材料を使用して作成することにより、製造部品の増大を有効に回避して、第１及び第２実施形態と同様の効果を得ることができる。
【００５７】
〔第４実施形態〕
この実施形態では、Ｃプレートを屈折率制御層に適用する点を除いて、第３実施形態と同一に構成される。ここでＣプレートは、面内屈折率が、位相差層１の遅相軸方向の屈折率と進相軸方向の屈折率との間の屈折率に保持される。
【００５８】
この実施形態のようにＣプレートにより屈折率制御層を設けるようにしても、第３実施形態と同様の効果を得ることができる。またこの場合、Ｃプレートにより視野角特性等を向上することができる。
【００５９】
〔第５実施形態〕
この実施形態では、Ｃプレートに代えて、透明樹脂層により屈折率制御層に適用する点を除いて、第４実施形態と同一に構成される。ここで透明樹脂層は、面内屈折率が、位相差層１の遅相軸方向の屈折率と進相軸方向の屈折率との間の屈折率に保持される。
【００６０】
この実施形態のように透明樹脂層により屈折率制御層を設けるようにしても、第３実施形態と同様の効果を得ることができる。
【００６１】
〔他の実施形態〕
以上、本発明の実施に好適な具体的な構成を詳述したが、本発明は、本発明の趣旨を逸脱しない範囲で、上述の実施形態の構成を種々に組み合わせたり、変更したりすることができる。
【００６２】
すなわち上述の実施形態では、配向層を設ける場合について述べたが、本発明はこれに限らず、転写法の手法を適用して位相差層を基材上に作製することにより、配向層を省略してもよい。なお転写法は、例えば基材の上に所望の層を形成する場合に、この層を直接当該基材上に形成するのでは無く、一旦、離型性の支持体上に剥離可能に該層を積層形成して転写体を作成した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。また位相差層に液晶ポリマーを適用することにより、配向層を省略してもよい。
【００６３】
なおこのように配向層を省略する場合にあって、基材の屈折率を、位相差層の遅相軸方向の屈折率と進相軸方向の屈折率との間の屈折率に設定することにより、基材自体を屈折率制御層として機能させるようにしてもよい。またこれに代えて、第３実施形態〜第５実施形態について上述したと同様の手法を適用して、基材と位相差層との間に屈折率制御層を設けるようにしてもよい。
【００６４】
また上述の実施形態では液晶表示パネルによる画像表示パネルに配置する場合について述べたが、本発明はこれに限らず、有機ＥＬ素子による画像表示パネル、プラズマディスプレイによる画像表示パネルに配置する場合等にも広く適用することができる。
【００６５】
また上述の実施形態では、濃淡のスジを防止する場合について述べたが、本発明はこれに限らず、黄色のスジを防止する構成と組み合わせて、黄色、濃淡のスジの双方を知覚できないようにしてもよい。
【符号の説明】
【００６６】
１  位相差層
２、２２  パターン位相差フィルム
３  直線偏光板
４  屈折率制御層
１０、２０  画像表示装置
１１  画像表示パネル
１２  基材
１３  配向層
１４、２４  粘着剤層
【図１】
2014178460.tif 000003
【図２】
2014178460.tif 000004
【図３】
2014178460.tif 000005
【図４】
2014178460.tif 000006
【図５】
2014178460.tif 000007
【図６】
2014178460.tif 000008